(57)【要約】      （修正有）【課題】部品点数を削減するとともに、所望の操作荷重が得られるスイッチ装置を提供する。【解決手段】固定接点５１を備えた基材５０と、固定接点５１と対向する位置に配設され、内部に可動接点４０を設けた反転動作可能な絶縁材からなる弾性体３３と、弾性体３３を押圧可能な押しボタン２１とを備える。押しボタン２１は弾性体３３の上方に位置し、レバー部材２０の一端部に配設されるとともに、レバー部材２０の他端部は基材５０に片持ち支持されている。基材５０と対向し、押しボタン２１の下方には押しボタン２１の荷重を調整可能な調整部３２を備えており、調整部３２は反転動作可能であって、弾性体３３の近傍に位置し、基材５０から調整部３２の下端部までの距離が、固定接点５１から可動接点４０の下端部までの距離より大きく形成されている。【選択図】図１
0003171001.tif 000002
【実用新案登録請求の範囲】
【請求項１】
固定接点を備えた基材と、前記固定接点と対向する位置に配設され、内部に可動接点を設けた反転動作可能な絶縁材からなる弾性体と、前記弾性体を押圧可能な押しボタンとを備えたスイッチ装置において、前記押しボタンは前記弾性体の上方に位置し、板状部材の一端部に配設されるとともに、前記板状部材の他端部は前記基材に片持ち支持されており、前記基材と対向し、前記押ボタンの下方には前記押ボタンの荷重を調整可能な調整部を備えており、前記調整部は反転動作可能であって、前記押ボタンにより前記弾性体および前記調整部がそれぞれ前記固定接点および前記基材と接触する際に、前記弾性体よりも前記調整部が遅れて接触することを特徴とするスイッチ装置。
【請求項２】
前記調整部は前記弾性体の近傍に位置し、前記基材から前記調整部の下端部までの距離が前記固定接点から前記絶縁材に設けられた可動接点の下端部までの距離よりも大きいことを特徴とする請求項１に記載のスイッチ装置。
【請求項３】
前記調整部は可動接点がない絶縁材からなることを特徴とする請求項１または２に記載のスイッチ装置。
【請求項４】
前記調整部は前記弾性体と一体形成されていることを特徴とする請求項１乃至３のいずれか１項に記載のスイッチ装置。
【考案の詳細な説明】
【技術分野】
【０００１】
本考案は、押圧操作されるキースイッチ装置に関し、特に、電子機器の入力装置であるリモコンに搭載されるキースイッチ装置に関する。
【背景技術】
【０００２】
従来、電子機器等に使用されるスイッチ装置は、種々の提案がなされている。
特許文献１には、ボタンの下方に上方へ膨出する接点部（可動接点）が２個ずつ設けられ、この接点部の薄肉部の弾性によりボタンが上方へ付勢されており、各接点部下方のプリント基板に接点部により導通される接点（固定接点）が形成されている。
特許文献２に記載のスイッチ装置１００は、図７に示す構造をしており、長寸の押しボタン１１１の下面には、安定部材１１３が回動可能に保持されるとともに、Ｘ字状に交差連結されたリンク部材１０５が回動可能に保持されており、押しボタン１１１はラバードーム１０３によって上方へ付勢されている。
【先行技術文献】
【特許文献】
【０００３】
【特許文献１】特開平４−３２４２１２号
【特許文献２】特開２０００−１１７９７号
【考案の概要】
【考案が解決しようとする課題】
【０００４】
しかしながら、特許文献１に記載されたスイッチ装置では、ボタンの端部を押下した場合でも導通するように、ボタンの下方に可動接点を２個ずつ設けられている。そのため、長寸のボタンでは、接点を複数設ける必要があり、部品点数が多くなる欠点がある。また、接点を１個にした場合は、特許文献２の安定部材のような、ボタンが水平に押下される部品が必要となり、部品点数が多くなるとともに構造も複雑となる。
また、特許文献２に記載されたスイッチ装置では、押しボタン１１１の上面を押し下げると、リンク部材１０５が回動しながら下方へ移動するとともに、安定部材１１３が回動しながら下方へ移動することにより、長寸の押しボタンでもガタツキが抑えられ水平に押圧可能となっているが、部品点数が多くなるとともに構造が複雑となる欠点がある。
【０００５】
本考案は、上記事情に鑑みてなされたもので、その目的は、長寸の押しボタンでも水平に押下可能とし、部品点数を削減するとともに、所望の操作荷重が得られるスイッチ装置を提供することを目的とする。
【課題を解決するための手段】
【０００６】
この目的を達成するために、本考案は、固定接点を備えた基材と、前記固定接点と対向する位置に配設され、内部に可動接点を設けた反転動作可能な絶縁材からなる弾性体と、前記弾性体を押圧可能な押しボタンとを備えたスイッチ装置において、前記押しボタンは前記弾性体の上方に位置し、板状部材の一端部に配設されるとともに、前記板状部材の他端部は前記基材に片持ち支持されており、前記基材と対向し、前記押しボタンの下方には前記押しボタンの荷重を調整可能な調整部を備えており、前記調整部は反転動作可能であって、前記押しボタンの下方への押圧により前記弾性体および前記調整部がそれぞれ前記固定接点および前記基材と接触する際に、前記弾性体よりも前記調整部が遅れて接触することを特徴とする。
【０００７】
このようにして構成された本考案は、押しボタンで押圧可能な位置に可動接点を設けた弾性体と荷重を調整可能な調整部を備えているので、弾性体の形状や厚み等を変更することなく荷重を効率よく調整することが可能である。また、押しボタンの押圧により可動接点を設けた弾性体および調整部がそれぞれ固定接点および基材と接触する際に、弾性体に設けられた可動接点が固定接点に接触するよりも調整部が基材に接触するのが遅れることにより、確実に電気的導通を確保することができる。
【０００８】
また、前記調整部は前記弾性体の近傍に位置し、前記基材から前記調整部の下端部までの距離が前記固定接点から前記絶縁材に設けられた可動接点の下端部までの距離よりも大きいことを特徴とする
【０００９】
このようにして構成された本考案は、調整部は弾性体の近傍に位置し、基材から調整部の下端部までの距離が固定接点から絶縁材に設けられた可動接点の下端部までの距離よりも大きいことにより、押しボタンで調整部および絶縁材を押圧した際に、絶縁材の可動接点が調整部よりも先に固定接点に接触する。このことにより、より確実に電気的導通を確保することができる。
【００１０】
また、前記調整部は可動接点がない絶縁材からなることを特徴とする。
【００１１】
このように構成した本考案は、調整部が可動接点を有していないので、基材の固定接点が最小数で設計可能である。このことにより、効率のよいパターン設計を行うことができる。
【００１２】
また、前記調整部は前記弾性体と一体形成されていることを特徴とする。
【００１３】
このようにして構成された本考案は、調整部と弾性体とが同一部品で形成されるため、部品点数の軽減を図ることができる。
【考案の効果】
【００１４】
以上のように本考案によれば、押しボタンで押圧可能な位置に可動接点を設けた弾性体と荷重を調整可能な調整部を備えているので、効率よい荷重の調整が可能であるとともに、押しボタンの押圧により可動接点を設けた弾性体および調整部がそれぞれ固定接点および基材と接触する際に、弾性体に設けられた可動接点が固定接点に接触するよりも調整部が基材に接触するのが遅れることにより、確実に電気的導通を確保することができる。
【図面の簡単な説明】
【００１５】
【図１】本考案の実施形態に係るスイッチ装置の構成を説明する分解斜視図である。
【図２】本考案の実施形態に係るスイッチ装置の初期状態を示す断面図である。
【図３】本考案の実施形態に係るスイッチ装置において、押しボタンを下方に押圧した場合の状態を示す断面図である。
【図４】図３における要部拡大図である。
【図５】本考案の実施形態に係るスイッチ装置において、変形例を示す断面図である。
【図６】図５における要部拡大図である。
【図７】従来例を示す断面図である。
【考案を実施するための形態】
【００１６】
以下、本考案の実施形態について図面を参照して説明する。
【００１７】
図１は本考案の実施形態に係るスイッチ装置の分解斜視図である。図１に示すように、本実施形態に係るスイッチ装置は、押しボタン２１が配設されているレバー部材（板状部材）２０と、調整部３２と弾性体３３とが形成されている弾性部材３０と、可動接点４０と、基板（基材）５０と、ピン１０とを含んで構成される。
【００１８】
最初にレバー部材２０について図１を参照して説明する。レバー部材２０は、例えば、絶縁性の樹脂材料で形成されている。このレバー部材２０には、一端部側に押しボタン２１が形成され、他端部側は挿通孔２３と後述する基板５０の貫通孔５２がピン１０によって押圧可能に片持ち支持されている。また、レバー部材２０には屈曲部２２が設けられており、この屈曲部２２により後述する弾性部材３０との隙間を一定に保っている。また、押しボタン２１は後述する弾性体３３の上方に位置し、上部から下方にむかって押圧した際にはこの屈曲部２２が支点となって押しボタン２１が回動動作することにより、後述する弾性部材３０に形成されている調整部３２および弾性体３３を下方に変移させる。
【００１９】
次に、弾性部材３０について図１および図２を参照して説明する。この弾性部材３０は、例えば絶縁性の樹脂材料等で形成され、弾性体３３と弾性体３３の近傍に配置された調整部３２が台部３１上に反転動作可能に一体形成されている。この台部３１は後述する基板５０の上部に配置され、調整部３２と弾性体３３は、押しボタン２１の下面に形成されている押し子部２４と一定の隙間を介して対向している。また、調整部３２および弾性体３３の内部には凸部３４および凸部３５がそれぞれ形成されており、凸部３５の下面には導電性の材料を用いた可動接点４０が形成されている。そして、この調整部３２および弾性体３３は、押しボタン２１から押圧力が伝達されることにより、反転動作を伴いながら下方に変位し、凸部３４の下端部３４ａおよび凸部３５の下面に形成された可動接点４０の下端部４０ａはそれぞれ基板５０の上面および固定接点５１と接触する。なお、基板５０の上面から凸部３４の下端部３４ａまでの距離は、固定接点５１から凸部３５に形成された可動接点４０の下端部４０ａまでの距離より長くなるように凸部３４および凸部３５の長さを設定している。また、調整部３２を設けることにより、押しボタン２１の操作荷重を調整している。さらに、調整部３２には可動接点を形成していない。
【００２０】
このため、押しボタン２１で押圧可能な位置に可動接点４０を設けた弾性体３３と荷重を調整可能な調整部３２を備えているので、弾性体３３の形状や厚み等を変更することなく荷重を効率よく調整することが可能である
【００２１】
また、調整部３２および弾性体３３は台部３１を介して一体に形成されているので、部品点数を削減することができる。
【００２２】
また、調整部３２には可動接点が形成されていないため、部品点数を更に削減することができる。
【００２３】
次に、基板５０について図１を参照して説明する。この基板５０は弾性体３３の凸部３５と対向する位置に固定接点５１が形成されている。また、この固定接点５１と反対方向には貫通孔５２が形成されており、上述したように、この貫通孔５２およびレバー部材に形成された挿通孔２３にピン１０を挿入することにより固定される。
【００２４】
なお、調整部３２が可動接点を有していないので、基板５０の固定接点が最小数で設計可能である。このことにより、効率のよいパターン設計を行うことができる。
【００２５】
次に、本考案のスイッチ装置の動作について、図２〜図４を用いて説明する。初期状態においては、図２に示すように、押しボタン２１に押圧力が加わっていない状態であり、調整部３２および弾性体３３に変形は見られない。このため、調整部３２および弾性体３３の下面に形成されている凸部３４および凸部３５はそれぞれ基板５０の表面および固定接点５１と接触していない状態である。
【００２６】
この状態から、押しボタン２１に押圧力を加えると、図３および図４に示すように、押しボタン２１の下部に形成されている押し子部２４が調整部３２および弾性体３３の上部を押し下げることにより、調整部３２および弾性体３３を下方に移動させる。そして、ある押圧力に達すると、調整部３２および弾性体３３が反転動作することにより感触が得られ、調整部３２および弾性体３３の下面に形成されている凸部３４および凸部３５は基板５０の表面および固定接点５１と接触する。
【００２７】
このとき、上述したように、基板５０の上面から凸部３４の下面までの距離は、固定接点５１から凸部３５の下面までの距離より長くなるように設定しているので、先に凸部３５の下面に形成された可動接点４０の下端部４０ａが固定接点５１に接触した後に、凸部３４の下端部３４ａが基板５０の上面と接触する。つまり、可動接点４０の下端部４０ａが固定接点５１に接触するよりも調整部３２に形成された凸部３４の下端部３４ａが基材に接触するのが遅れることにより、確実に電気的導通を確保することができる。
【００２８】
そして、押しボタン２１の押圧力を解除すると、調整部３２および弾性体３３は弾性的に復元し、初期状態の位置に戻ることにより、可動接点４０と固定接点５１の接触が解除される。また、押しボタン２１も弾性的に復元し、初期状態の位置にもどる。
【００２９】
なお、本考案は上記した実施形態に限定されるものではなく、その趣旨を逸脱しない限りにおいて上述したもの以外に種々の変更を行うことが可能である。
【００３０】
例えば、上記実施形態では、調整部３２が弾性体３３に対してレバー部材２０の先端側に配置されているが、基板５０のパターンレイアウトによって変更可能であり、固定接点がレバー部材２０の先端側に位置している場合には、図５および図６のように弾性体３３は調整部３２に対してレバー部材２０の先端側に形成してもよい。この場合、基板５０の上面から凸部３７の下端部３７ａまでの距離は、固定接点５１から凸部３６に形成された可動接点４５の下端部４５ａまでの距離より短くなるように設定する。このことにより、凸部３６に形成された可動接点４５の下端部４５ａが固定接点５１に接触した後に、凸部３７の下端部３７ａが基板５０の上面と接触するため、確実に電気的導通を確保することができる。
【００３１】
また、上記実施形態では、調整部３２の凸部３４および弾性体３３の凸部３５の長さを調整することにより、調整部３２の凸部３４よりも先に、弾性体３３の凸部３５に形成されている可動接点４０が固定接点５１と接し、確実に電気的導通を確保することができる構成としたが、図には示さないが例えば押し子部２４の形状を変更することにより、調整部３２に形成された凸部３４の下端部３４ａよりも先に、弾性体３３の凸部３５に形成されている可動接点４０の下端部４０ａが固定接点５１と接することができる構成としてもよく、この場合にも上記実施した形態と同様の効果が得られる。
【００３２】
また、上記実施形態では、調整部３２を１箇所設けることにより押しボタン２１の荷重を調整可能としているが、例えば大きい荷重を必要としている場合には、図には示さないが調整部３２を複数設けても良い。この場合、弾性体３３と一体で形成されることにより、部品点数を増やすことなく、必要な荷重を得ることができる。また、ひとつの弾性体によって大きな荷重を得る場合には、弾性体の厚みを厚くする必要があるため、耐久性が劣化する可能性があるが、弾性体の厚みを変更することなく大きな荷重を得ることができるので、耐久性の劣化を抑えることができる。
【符号の説明】
【００３３】
１０  ピン
２０  レバー部材
２１  押しボタン
２２  屈曲部
２３  挿通孔
３０  弾性部材
３１  台部
３２  調整部
３３  弾性体
３４  凸部
３５  凸部
３６  弾性体
３７  調整部
４０  可動接点
５０  基板（基材）
５１  固定接点
５２  貫通孔
１００  スイッチ装置
１０３  ラバードーム
１０５  リンク部材
１１１  押しボタン
１１３  安定部材
【図１】
0003171001.tif 000003
【図２】
0003171001.tif 000004
【図３】
0003171001.tif 000005
【図４】
0003171001.tif 000006
【図５】
0003171001.tif 000007
【図６】
0003171001.tif 000008
【図７】
0003171001.tif 000009
【手続補正書】
【提出日】平成23年8月10日(2011.8.10)
【手続補正１】
【補正対象書類名】実用新案登録請求の範囲
【補正対象項目名】全文
【補正方法】変更
【補正の内容】
【実用新案登録請求の範囲】
【請求項１】
固定接点を備えた基材と、前記固定接点と対向する位置に配設され、内部に可動接点を設けた反転動作可能な絶縁材からなる弾性体と、前記弾性体を押圧可能な押しボタンとを備えたスイッチ装置において、前記押しボタンは前記弾性体の上方に位置し、板状部材の一端部に配設されるとともに、前記板状部材の他端部は前記基材に片持ち支持されており、前記基材と対向し、前記押ボタンの下方には前記押ボタンの荷重を調整可能な調整部を備えており、前記調整部は反転動作可能であって、前記弾性体の近傍に位置し、前記基材から前記調整部の下端部までの距離が前記固定接点から前記絶縁材に設けられた可動接点の下端部までの距離よりも大きく形成されていることを特徴とするスイッチ装置。
【請求項２】
前記調整部は可動接点がない絶縁材からなることを特徴とする請求項１に記載のスイッチ装置。
【請求項３】
前記調整部は前記弾性体と一体形成されていることを特徴とする請求項１または２に記載のスイッチ装置。
【手続補正２】
【補正対象書類名】明細書
【補正対象項目名】０００６
【補正方法】変更
【補正の内容】
【０００６】
この目的を達成するために、本考案は、固定接点を備えた基材と、前記固定接点と対向する位置に配設され、内部に可動接点を設けた反転動作可能な絶縁材からなる弾性体と、前記弾性体を押圧可能な押しボタンとを備えたスイッチ装置において、前記押しボタンは前記弾性体の上方に位置し、板状部材の一端部に配設されるとともに、前記板状部材の他端部は前記基材に片持ち支持されており、前記基材と対向し、前記押ボタンの下方には前記押ボタンの荷重を調整可能な調整部を備えており、前記調整部は反転動作可能であって、前記弾性体の近傍に位置し、前記基材から前記調整部の下端部までの距離が前記固定接点から前記絶縁材に設けられた可動接点の下端部までの距離よりも大きく形成され、前記押ボタンにより前記弾性体および前記調整部がそれぞれ前記固定接点および前記基材と接触する際に、前記弾性体よりも前記調整部が遅れて接触することを特徴とする。
【手続補正３】
【補正対象書類名】明細書
【補正対象項目名】０００７
【補正方法】変更
【補正の内容】
【０００７】
このようにして構成された本考案は、押しボタンで押圧可能な位置に可動接点を設けた弾性体と荷重を調整可能な調整部を備えているので、弾性体の形状や厚み等を変更することなく荷重を効率よく調整することが可能である。また、調整部は弾性体の近傍に位置し、基材から調整部の下端部までの距離が固定接点から絶縁材に設けられた可動接点の下端部までの距離よりも大きいことにより、押しボタンで調整部および絶縁材を押圧した際に、絶縁材の可動接点が調整部よりも先に固定接点に接触する。このことにより、確実に電気的導通を確保することができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１４
【補正方法】変更
【補正の内容】
【００１４】
以上のように本考案によれば、押しボタンで押圧可能な位置に可動接点を設けた弾性体と荷重を調整可能な調整部を備えているので、効率よい荷重の調整が可能である。また、調整部は弾性体の近傍に位置し、基材から調整部の下端部までの距離が固定接点から絶縁材に設けられた可動接点の下端部までの距離よりも大きいことにより、押しボタンで調整部および絶縁材を押圧した際に、絶縁材の可動接点が調整部よりも先に固定接点に接触する。このことにより、確実に電気的導通を確保することができる。